(57)【要約】【課題】周囲の振動に起因するねじ部材の緩みを効果的に防止することが可能なねじ部材緩み防止技術を提供する。【解決手段】端子ねじ１２とこれを覆う端子カバー１６との間に、端子ねじ１２の頭部１２ａに装着して端子ねじの弛緩方向への回動を抑制する回動抑制部材と、回動抑制部材を端子ねじ１２の頭部１２ａに対して付勢する付勢部材とを有するねじ部材緩み防止装置１５を設ける。このねじ部材緩み防止装置１５を、硬質絶縁部材１９に固定されて端子ねじ１２の頭部１２ａに当着する軟質絶縁部材１８と、硬質絶縁部材１９に固定されて端子カバー１６との間に介在されるスプリング２０とにより構成したり、端子ねじの締め付け方向のみへの回転を許容するクラッチ機構を備えた補助カバーの通孔に挿着して端子ねじの頭部の溝に嵌着する突条を有する硬質絶縁部材と、この硬質絶縁部材と端子カバーとの間に介在される軟質絶縁部材とにより構成する。【選択図】        図２
2010135176.tif 000002
【特許請求の範囲】
【請求項１】
ねじ部材と、このねじ部材を覆うカバー部材との間に配設され、
前記ねじ部材の頭部に装着して前記ねじ部材の弛緩方向への回動を抑制する回動抑制部材と、
この回動抑制部材と一体をなし、前記回動抑制部材を前記ねじ部材の頭部に対して付勢する付勢部材と
を有して構成されることを特徴とするねじ部材緩み防止装置。
【請求項２】
ねじ部材と、このねじ部材を覆うカバー部材との間に配設され、
硬質絶縁部材に固定されて前記ねじ部材の頭部に当着する軟質絶縁部材と、
前記硬質絶縁部材に固定され、この硬質絶縁部材と前記カバー部材との間に圧縮された状態で介在されるスプリングと
を有して構成されることを特徴とするねじ部材緩み防止装置。
【請求項３】
ねじ部材と、このねじ部材を覆うカバー部材との間に配設され、
前記ねじ部材の取り付け箇所に対応して通孔が形成されると共に前記通孔部分に前記ねじ部材の締め付け方向のみへの回転を許容するクラッチ機構を具備する補助カバーと、
前記補助カバーの前記通孔に挿着されて前記ねじ部材の頭部に形成された溝に嵌着する突条を備えた硬質絶縁部材と、
前記硬質絶縁部材に固定されて前記カバー部材との間に圧縮された状態で介在される軟質絶縁部材と
を有して構成されることを特徴とするねじ部材緩み防止装置。
【請求項４】
前記カバー部材と一体をなすと共に、前記カバー部材の取り付けと同時に前記ネジ部材との間に配設されることを特徴とする請求項１又は２記載のねじ部材緩み防止装置。
【請求項５】
前記カバー部材と別体をなすと共に、所定数の前記ねじ部材毎に着脱可能であることを特徴とする請求項１又は３記載のねじ部材緩み防止装置。
【請求項６】
電線を個別に接続する複数の端子部を備え、前記端子部は、電線を挿入する端子穴と、この端子穴に挿入される電線を導電体と電気的に接続させるネジ部材とを有して構成され、前記端子部を前記ネジ部材と共に覆うカバー部材を具備する端子装置において、
前記ネジ部材と前記カバー部材との間に前記請求項１乃至５のいずれかに記載のネジ部材緩み防止装置を配設したことを特徴とする端子装置。
【発明の詳細な説明】
【技術分野】
【０００１】
本発明は、接地線を含む電線を接続する端子部を備えた電力量計等の計量器や電源側電線から負荷側電線を分岐する端子部を備えた引込分岐端子箱等に用いられ、端子部等のねじ部材の緩みを防止するために有効なねじ部材緩み防止装置に関する。
【背景技術】
【０００２】
電力量計で代表される計器にあっては、図５に示されるように、計器本体の下方に端子ボックス６が設けられ、一般的な端子ボックスにあっては、下端から上方へ向かって電線４の導体部４ａを挿入する端子穴１０と、各端子穴１０に挿入された電線４を端子穴１０に設けられた図示しない導電体（端子金具）と電気的に接続する２本の端子ねじ１２とを有する構成となっている（例えば、特許文献１参照）。このような構成において、端子ボックス６への電線４の接続は、電線４を挿入する端子穴１０の端子ねじ１２を弛めておき、電線４の導体部４ａを端子穴１０に下方から挿入した後、２本の端子ねじ１２を締め付けて電線４の導体部４ａを導電体に圧接させることで行う。
【０００３】
また、電源側電線から各需要家に引き込まれる負荷側電線としての引込線を分岐接続するために用いられる引込分岐端子箱にあっては、例えば、図６に示されるように、正面に開口部を有する略直方体形状の箱体３１と、この箱体３１の開口部を閉塞する端子カバー３２と、箱体３１に内装された角柱状の導電体３３と、この導電体３３に対して電源側電線５１を接続する第１の端子ねじ３４及び負荷側電線５２を接続する第２の端子ねじ３５とから構成されている。
このような構成においても、引込分岐端子箱３０への電線５１，５２の接続は、第１及び第２の端子ねじ３４，３５を弛めておき、側方から電線５１，５２の導体部を端子ねじ３４，３５と導電体３３との間に挿入した後、端子ねじ３４，３５を締め付けて電線５１，５２と導電体３３とを圧接させることで行う。
【特許文献１】特開２００１−２１５２４４号公報
【特許文献２】特開２００８−２６３７２０号公報
【発明の開示】
【発明が解決しようとする課題】
【０００４】
しかしながら、従来の計器用の端子装置にあっては端子ネジ２本で電線を径方向から（正面から）締め付けて導電体に圧着させ、また、引込分岐端子箱にあっても、端子ねじで電線を径方向から（正面から）締め付けて導電体に圧着させるようにしているので、強固な接続状態が得られているものの、車両が通過する際に生じる振動や付近にある作業用機械の振動等の起因する計量器や引込分岐端子箱の微振動により端子ねじが緩み、電線と導電体とが接触不良を起こすことが懸念されている。このようなねじ部材の緩みに対して、現状の設備では十分に対応することができないため、既存の設備にも利用できるなんらかの施策が要請されている。
【０００５】
本発明は、係る事情に鑑みてなされたものであり、周囲の振動に起因するねじ部材の緩みを効果的に防止することができ、また、既存の設備にも適用可能なねじ部材緩み防止装置及びこれを用いた端子装置を提供することを主たる課題としている。
【課題を解決するための手段】
【０００６】
上記課題を達成するために、本発明に係るねじ部材緩み防止装置は、ねじ部材と、このねじ部材を覆うカバー部材との間に配設され、前記ねじ部材の頭部に装着して前記ねじ部材の弛緩方向への回動を抑制する回動抑制部材と、この回動抑制部材と一体をなし、前記回動抑制部材を前記ねじ部材の頭部に対して付勢する付勢部材とを有して構成されることを特徴としている。
【０００７】
したがって、ねじ部材の頭部には、回動抑制部材が付勢部材により付勢されて装着されるので、一旦締め付けられたねじ部材は、伝達される微振動により緩むことがなくなり、また、振動により回動抑制部材がねじ部材の頭部から外れることもなくなり、電線と端子金具との良好な接触状態を永続的に維持することが可能となる。
【０００８】
より具体的なねじ部材緩み防止装置の態様としては、ねじ部材と、このねじ部材を覆うカバー部材との間に配設され、硬質絶縁部材に固定されて前記ねじ部材の頭部に当着する軟質絶縁部材と、前記硬質絶縁部材に固定され、この硬質絶縁部材と前記カバー部材との間に圧縮された状態で介在されるスプリングとを有して構成するようにしてもよい。
【０００９】
このような構成によれば、硬質絶縁部材に固定された軟質絶縁部材が、硬質絶縁部材とカバー部材との間に介在されるスプリングによりねじ部材の頭部に押し付けられ、幾分変形した状態で取り付けられる。このため、軟質絶縁部材とねじ部材の頭部との間の摩擦抵抗が大きくなり、例えねじ部材が外部からの振動により弛緩方向に回動しようとしても、その回動が軟質絶縁部材（回動抑制部材）により防止される。また、軟質絶縁部材がスプリングによりねじ部材の頭部に押し付けられるので、この押し付けられる状態が不用意に解除されることがなくなり、永続的な押し付け状態を維持することが可能となる。
【００１０】
また、ねじ部材緩み防止装置は、ねじ部材と、このねじ部材を覆うカバー部材との間に配設され、ねじ部材の取り付け箇所に対応して通孔が形成されると共に前記通孔部分にねじ部材の締め付け方向のみへの回転を許容するクラッチ機構を具備する補助カバーと、この補助カバーの通孔に挿着されてねじ部材の頭部に形成された溝に嵌着する突条を備えた硬質絶縁部材と、この硬質絶縁部材に固定されてカバー部材との間に圧縮された状態で介在される軟質絶縁部材とを有して構成するようにしてもよい。
【００１１】
このような構成によれば、硬質絶縁部材が補助カバーのクラッチ機構を有する通孔に挿着されてねじ部材の締め付け方向のみへの回転を許容するように固定され、この硬質絶縁部材の突条がねじ部材の頭部に形成された溝に嵌着され、また、硬質絶縁部材に固定された軟質絶縁部材がカバー部材に押し付けられて圧縮した状態で取り付けられる。このため、例えねじ部材が外部からの振動により緩む方向に回動しようとしても、硬質絶縁部材の突条がねじ部材の溝に嵌着してこのねじ部材の弛緩方向への回動を阻止しているので、ねじ部材の緩みが防止される。また、軟質絶縁部材が圧縮した状態で硬質絶縁部材とカバー部材との間に介在されるので、ねじ部材に伝達される振動を軟質絶縁部材により吸収することができると共に、軟質絶縁部材とカバー部材との間の摩擦抵抗が大きくなって、硬質絶縁部材とねじ部材との嵌合状態が不用意に解除されることがなくなり、ねじ部材の緩み防止状態を永続的に維持することが可能となる。
【００１２】
尚、ねじ部材緩み防止装置は、カバー部材と一体をなすと共に、カバー部材の取り付けと同時に前記ネジ部材との間に配設されるようにしてもよい。このような構成によれば、カバー部材の取り付けと同時に、カバー部材とねじ部材との間にねじ部材緩み防止装置が配設されてねじ部材の回動を防止することが可能となる。
【００１３】
また、ねじ部材緩み防止装置は、カバー部材と別体をなすと共に、所定数のねじ部材毎に着脱可能にしてもよい。このような構成によれば、メンテナンス時などにおいて、作業が必要となるねじ部材に装着されたねじ部材緩み防止装置だけを取り外して作業をすることが可能となる。
【００１４】
以上のねじ部材緩み防止装置は、例えば、電線を個別に接続する複数の端子部を備え、前記端子部を、電線を挿入する端子穴と、この端子穴に挿入される電線を導電体と電気的に接続させるネジ部材とを有して構成し、前記端子部を前記ネジ部材と共に覆うカバー部材を具備する端子装置において、前記ネジ部材と前記カバー部材との間に配設する場合に適している。
【発明の効果】
【００１５】
以上述べたように、ねじ部材とこのねじ部材を覆うカバー部材との間に、ねじ部材の頭部に装着してねじ部材の弛緩方向への回動を抑制する回動抑制部材と、この回動抑制部材と一体をなし、前記回動抑制部材を前記ねじ部材の頭部に対して付勢する付勢部材とを有して構成するねじ部材緩み防止装置を設けたので、周囲の振動に起因するねじ部材の緩みを効果的に防止することができ、ねじ部材で電線を導電体に接続するようにしている装置にあっては、電線と導電体との接触不良を永続的に回避することが可能となる。また、ねじ部材緩み防止装置をねじ部材とこれを覆うカバー部材との間に後から付設することも可能となるので、既存の設備に対してねじ部材の緩み防止を図ることも可能となる。
【００１６】
特に、ねじ部材緩み防止装置を、硬質絶縁部材に固定されてねじ部材の頭部に当着する軟質絶縁部材と、この硬質絶縁部材に固定されて硬質絶縁部材と前記カバー部材との間に圧縮された状態で介在されるスプリングとから構成すれば、ねじ部材の頭部に軟質絶縁部材がスプリングにより押し付けられるため、ねじ部材の微振動に起因する回動が防止されると共に微振動を吸収することが可能となり、また、ねじ部材の頭部への軟質絶縁部材の当着状態が永続的に維持される。
【００１７】
このような構成において、ねじ部材緩み防止装置をカバー部材と一体化すれば、カバー部材の取り付けと同時にねじ部材緩み防止装置がねじ部材の頭部に押し付けられて配設されるので、従来の作業に変更を加える必要がなくなる。
【００１８】
また、ねじ部材緩み防止装置を、ねじ部材の取り付け箇所に対応して通孔が形成されると共に通孔部分にねじ部材の締め付け方向のみへの回転を許容するクラッチ機構を具備する補助カバーと、この補助カバーの通孔に取り付けられてねじ部材の頭部に形成されたネジ溝に嵌着する突条を備える硬質絶縁部材と、この硬質絶縁部材に固定されてカバー部材との間に介在される軟質絶縁部材とから構成すれば、ねじ部材の頭部に形成された溝に嵌着される硬質絶縁部材の突条によりねじ部材の弛緩方向への回動が阻止され、また、軟質絶縁部材によりねじ部材の微振動を吸収することが可能となると共にねじ部材の頭部への硬質絶縁部材の嵌合状態が永続的に維持される。
【００１９】
このような構成において、ねじ部材緩み防止装置をカバー部材と別体をなすと共に、所定数のねじ部材毎に着脱可能とすれば、メンテナンス時などにおいて、作業が必要となるねじ部材に装着されたねじ部材緩み防止装置だけを取り外して作業をすることが可能となるので、作業時に工具が誤って隣接する端子等に接触する恐れを低減することができ、作業時の安全性を確保することが可能となる。
【発明を実施するための最良の形態】
【００２０】
以下、この発明の最良の実施形態を添付図面を参照しながら説明する。
【００２１】
図１において、本発明に係る端子緩み防止装置を適用した電力量計１が示されている。この電力量計は、それ自体周知のもので、計量器を収容する本体２とこの本体２の背面に取り付けられた図示しない取付板と、この取付板に取り付けねじ３により固定され、本体２より下方に配されて電力量計の電源側及び負荷側の接地線を含む電線４（電源側電線１Ｓ，２Ｓ、負荷側電線１Ｌ，２Ｌ）が接続される端子部５が電線毎に設けられている直方体形状の端子ボックス６とを備えている。
【００２２】
端子ボックス６に設けられる各端子部５は、図２に示されるように、下端から上方へ向かって電線４を挿入可能とする端子穴１０と、この端子穴１０に上方から圧入されて固定された端子金具（導電体）１１と、端子ボックス６の正面から羅合される端子ねじ１２とを有して構成されている。
【００２３】
端子金具１１は、本体側に突出して本体２に収容された計量器に接続する本体接続部１１ａと電線を挿入する電線挿入部１１ｂとを具備する導電性のもので、電線挿入部１１ｂは、上端部が閉塞されて下方に開口するように取り付けられ、電線４の被覆を剥いで露出させた導体部４ａを端子ボックス６の下方から端子穴１０に挿入可能としている。
【００２４】
端子ねじ１２は、端子ボックス６の正面から端子金具１１にかけて設けられているもので、マイナス溝１３が形成された頭部１２ａが端子ボックス６の正面に露出し、先端部１２ｂが端子金具１１の電線挿入部１１ｂ内に臨み、電線挿入方向と略直交する方向（電線の径方向）に螺進退可能となっている。
したがって、端子ねじ１２を弛めて先端部１２ｂを後退させ、電線４の導体部４ａを電線挿入部１１ｂに挿入した後に締め付ければ、電線４の導体部４ａは、端子金具１１に圧接した状態で固定される。
【００２５】
そして、電線４を端子部５に接続した状態において、端子ボックス６の正面に、本発明に係るねじ部材緩み防止装置１５を介して端子カバー１６をカバー取付ねじ１７により固定し、端子ボックス６の正面を端子カバー１６で覆うようにしている。
【００２６】
ねじ部材緩み防止装置１５は、端子ねじ１２の頭部１２ａに当着する耐電圧６００ｖのゴムや樹脂などからなる軟質絶縁部材１８と、この軟質絶縁部材１８に接着剤等で固定され、耐電圧６００ｖの合成樹脂や繊維強化プラスチック等からなる硬質絶縁部材１９と、この硬質絶縁部材１９に接着剤等で固定され、この硬質絶縁部材１９と端子カバー１６との間に介在されるスプリング２０とを有して構成されている。この例において、軟質絶縁部材１８は、各端子部の上下２つの端子ネジ１２に同時に当接する程度の大きさに形成され、硬質絶縁部材１９は、軟質絶縁部材１８と同じか幾分大きく形成され、スプリング２０は、上下に２つ並設されて２つの端子ねじ１２に対して軟質絶縁部材が均一な力で押しつけられるようにしている。そして、ねじ部材緩み防止装置１５は、そのスプリング２０を端子カバー１６に接着剤等により固定することにより、端子カバー１６に一体的に設けられている。
【００２７】
尚、ねじ部材緩み防止装置１５は、端子ボックス６に端子カバー１６を取り付けた場合に、端子カバー１６と硬質絶縁部材１９との間にスプリング２０が圧縮されて弾装されると共に軟質絶縁部材１８が端子ねじ１２の頭部１２ａに押し付けられて変形した状態で取り付けられるよう各絶縁部材の厚みやスプリング２０の長さが調整されている。
【００２８】
以上の構成において、端子ねじ１２を弛めて先端部１２ｂを後退させ、電線４の導体部４ａを電線挿入部１１ｂに挿入した後に締め付け、電線４の導体部４ａを端子金具１１に圧接する図２（ａ）に示される状態を、電線の接続が必要となるすべての端子部５に対して形成し、しかる後に、ねじ部材緩み防止装置１５が取り付けられた端子カバー１６をカバー取付ネジ１７にて端子ボックス６の前面に取り付けると、図２（ｂ）に示されるように、端子カバー１６が取り付けられた状態においては、スプリング２０が圧縮して軟質絶縁部材１８を端子ネジ１２の頭部１２ａに押し付けるので、軟質絶縁部材１８は当節部分が変形した状態で端子ネジ１２の頭部１２ａに圧接される。
【００２９】
このため、軟質絶縁部材１８と端子ねじ１２の頭部１２ａとの間の摩擦抵抗は大きくなり、例え端子ネジ１２が外部からの振動により緩む方向に回動しようとしても、その回動はねじ部材緩み防止装置１５の軟質絶縁部材１８により防止される。したがって、一旦締め付けた端子ねじ１２は、端子部５に伝達される微振動により緩むことがなくなり、電線４と端子金具１１との接触不良が生じることがなくなる。
【００３０】
また、この例においては、ねじ部材緩み防止装置１５が端子カバー１６に固定されて一体化しているので、端子カバー１６を取り付ける従来と同様の作業のみで端子ねじ１２の緩みを防止することが可能となり、端子ねじ１２の緩みを防止するために格別な作業は不要となり、また、ねじ部材緩み防止装置１５の脱落・紛失の恐れもなくなる。
【００３１】
図３において、ねじ部材緩み防止装置１５の他の構成例が示され、この例においてねじ部材緩み防止装置１５は、端子ねじ１２の取付箇所に対応すると共に端子ねじ１２の頭部１２ａを収容可能とする通孔２１が形成され、この通孔２１の部分に端子ねじ１２の締め付け方向のみへの回転を許容するワンウェイクラッチ機構を具備する補助カバー２２と、この補助カバー２２の通孔２１に挿着されて端子ねじ１２の頭部１２ａに形成されたマイナス溝１３に嵌着する突条２３を備えた耐電圧６００ｖの合成樹脂、繊維強化プラスチック等からなる硬質絶縁部材２４と、この硬質絶縁部材２４と端子カバー１６との間に介在され、硬質絶縁部材２４に接着剤等で固定された耐電圧６００ｖのゴム、樹脂などからなる軟質絶縁部材２５とを有して構成されている。
【００３２】
この例において、補助カバー２２は、各端子部５の上下２つの端子ネジ１２の頭部１２ａを同時に収容するように、端子ねじ１２の間隔に合わせて２つの通孔２１が上下に並設されている。硬質絶縁部材２４は、補助カバー２２の通孔２１に螺合させて軟質絶縁部材を補助カバーの端面から突出させた状態で挿着されており、また、補助カバー２２は端子ねじ１２の頭部１２ａに係止可能であるが、端子カバー１６には固定されていない。したがって、ねじ部材緩み防止装置１５は、端子カバー１６と別体をなし、端子部５毎に独立して着脱可能となっている。
【００３３】
また、ねじ部材緩み防止装置１５は、端子ボックス６に端子カバー１６を取り付けた場合に、軟質絶縁部材２５が端子カバー１６に当接して幾分圧縮変形した状態で取り付けられるよう各絶縁部材の厚みが調整され、また、端子カバー１６と端子ボックス６との間に補助カバー２２が収容されるように補助カバー２２の厚みが調整されている。
尚、他の構成は、前記構成例と同様であるので、同一箇所に同一符号を付して説明を省略する。
【００３４】
したがって、端子ねじ１２を弛めて先端部１２ｂを後退させ、電線４の導体部４ａを電線挿入部１１ｂに挿入した後に締め付け、電線４の導体部４ａを端子金具１１に圧接する図３（ａ）に示される状態を、電線の接続が必要となるすべての端子部５に対して形成し、しかる後に、硬質絶縁部材２４が取り付けられた補助カバー２２を対応する端子部５の各端子ねじ１２の頭部１２ａに係止させ、硬質絶縁部材２４を適宜回動させて突条２３を端子ねじ１２のマイナス溝１３に嵌合させ、しかる後にその上から端子カバー１６をカバー取付ネジ１７で端子ボックス６の前面に取り付けると、図３（ｂ）に示されるように、硬質絶縁部材２４の突条２３が端子ネジ１２のマイナス溝１３に嵌合した状態を保ちつつ、軟質絶縁部材２５が圧縮変形した状態で端子カバー１６に圧接され、硬質絶縁部材２４を端子ねじ１２の頭部１２ａに付勢する。
【００３５】
このため、端子ネジ１２は硬質絶縁部材２４と一体となってワンウェイクラッチ機構２９により締め付け方向にのみ回転が許容されるだけとなり、また、硬質絶縁部材２４は軟質絶縁部材２５により端子ねじ１２へ押し付けられるので、硬質絶縁部材２４と端子ねじ１２との嵌合状態が外れることがなくなる。したがって、例え端子ボックス６に外部からの振動が伝達されても、ワンウェイクラッチ機構２９により端子ねじ１２の弛緩方向への回動が防止されると共に、軟質絶縁部材２５により振動が吸収される。よって、一旦締め付けた端子ねじ１２は、伝達される微振動により緩むことがなくなり、電線４と端子金具１１との接触不良を生じることがなくなる。
【００３６】
また、この例においては、ねじ部材緩み防止装置１５が端子カバー１６と別体をなし、端子部５毎に独立して着脱可能であるので、作業が必要な端子部５に設けられているねじ部材緩み防止装置１５だけを取り外して作業をすることが可能となり、作業中に作業工具が誤って隣接する端子に接触する恐れがなくなり、作業時の安全性を確保することが可能となる。
【００３７】
以上の例では、ねじ部材緩み防止装置１５を計器の端子部に用いた場合について説明したが、電線をネジ留めする他の端子部においても利用可能であり、同様の作用効果を得ることが可能となる。例えば、図４において、引込分岐端子箱３０に適用した構成例が示され、以下、この例について説明すると、引込分岐端子箱３０は、図６（ａ），（ｂ）にも示されるように、正面に開口部を有する略直方体形状の箱体３１と、この箱体３１の開口部を閉塞する端子カバー３２と、箱体３１に収容された角柱状の導電体３３と、この導電体３３に対して正面から羅合する第１の端子ねじ３４及び第２の端子ねじ３５とを有して構成され、それぞれの端子ねじ３４，３５の先端部と導電体３３との間には、電線の被覆を剥いで露出させた導体部を引込分岐端子箱３０の側方から挿入可能とする電線挿入部３６が形成されている。
【００３８】
この例において、端子ねじ３４，３５は、引込分岐端子箱３０の正面から導電体３３に羅合されるもので、マイナス溝３７，３８が形成された頭部３４ａ，３５ａを正面に露出し、先端部をライナー３９．４０を介して導電体３３の電線挿入部３６に臨ませ、電線挿入方向と略直交する方向に螺進退可能となっている。
【００３９】
このような第１の端子ねじ３４により電源側電線５１を導電体３３に圧接させることで電気的に接続し、また、第２の端子ねじ３５により負荷側電線５２を導電体３３に圧接させることで電気的に接続するようにしている。
【００４０】
したがって、端子ねじ３４，３５を弛めて先端部を後退させ、電線の導体部を引込分岐端子箱３０の側方から電線挿入部３６に挿入して締め付ければ、電線の導体部は、導電体３３に圧接した状態で固定される。
【００４１】
そして、電線を端子部に接続した状態において、引込分岐端子箱３０の正面に、ねじ部材緩み防止装置１５を介して端子カバー３２をカバー取付ねじ５０にて取り付け、引込分岐端子箱３０の正面を端子カバー３２で覆うようにしている。
【００４２】
この例で用いられるねじ部材緩み防止装置１５も、図３と同様の構成を有しているもので、端子ねじ３４，３５の取付箇所に対応する通孔４０が形成され、この通孔４０の部分に端子ねじ３４，３５の締め付け方向のみへの回転を許容するワンウェイクラッチ機構４９を具備する補助カバー４１と、この補助カバー４１の通孔４０に挿着されて端子ねじ３４，３５の頭部に形成されたマイナス溝３７，３８に嵌着する突条４２を備えた耐電圧６００ｖの合成樹脂、繊維強化プラスチック等からなる硬質絶縁部材４３と、この硬質絶縁部材４３と端子カバー３２との間に介在され、硬質絶縁部材４３に接着剤等で固定された耐電圧６００ｖのゴム、樹脂などからなる軟質絶縁部材４４とを有して構成されている。尚、補助カバー４１に形成される通孔４０は、端子部の端子ネジ３４，３５の頭部３４ａ，３５ａを収容するような大きさに形成してもよい。
【００４３】
ここで示される例において、補助カバー４１には、端子ねじ３４，３５の間隔に合わせて通孔４０が上下方向に端子ネジ３４，３５の数だけ複数配列形成されており、また、上端部に落下防止用のリブ４５が引込分岐端子箱３０の箱体３１に着脱自在に取り付けられるように突設されている。
また、硬質絶縁部材４３は、補助カバー４１の通孔４０に螺合させて軟質絶縁部材４４を補助カバー４１の端面から突出させた状態で挿着され、補助カバー４１は、端子カバー３２とは独立に箱体３１に着脱可能となっている。
【００４４】
尚、ねじ部材緩み防止装置１５は、箱体３１に端子カバー３２を取り付けた場合に、軟質絶縁部材４４が端子カバー３２に当接して幾分圧縮変形した状態で取り付けられるよう各絶縁部材の厚みが調整され、また、端子カバー３２と箱体３１との間に補助カバー４１が収容されるよう補助カバー４１の厚みが調整されている。
【００４５】
したがって、端子ねじ３４，３５を弛めて先端部を後退させ、電線の導体部を電線挿入部３６に挿入した後に締め付け、電線の導体部を導電体３３に圧接する状態を電線の接続が必要となる各端子部に対して形成し、しかる後に、硬質絶縁部材４３が取り付けられた補助カバー４１を各端子ねじ３４，３５の頭部３４ａ，３５ａを覆うように取り付け、硬質絶縁部材４３を適宜回動させてその突条４２を端子ねじ３４，３５のマイナス溝３７，３８に嵌合させ、しかる後にその上から端子カバー３２をカバー取付ネジ５０で箱体３１の前面に取り付けると、硬質絶縁部材４３がその突条４２を端子ねじ３４，３５のマイナス溝３７，３８に嵌合させた状態を保ちつつ、軟質絶縁部材４４が圧縮変形した状態で端子カバー３２に圧接され、硬質絶縁部材４３を端子ねじ３４，３５の頭部３４ａ，３５ａに付勢する。
【００４６】
このため、端子ネジ３４，３５は硬質絶縁部材４３と一体となってワンウェイクラッチ機構４９により締め付け方向にのみ回転が許容されるだけとなり、また、硬質絶縁部材４３は軟質絶縁部材４４により端子ねじ３４，３５へ付勢されて押し付けられるので、硬質絶縁部材４３と端子ねじ３４，３５との嵌合状態が外れることがなくなる。したがって、例え箱体３１に外部からの振動が伝達されても、ワンウェイクラッチ機構４９により端子ねじ３４，３５の弛緩方向への回動が防止されると共に、軟質絶縁部材２５により振動が吸収される。よって、一旦締め付けた端子ねじ３５，３６は、伝達される微振動により緩むことがなくなり、電線と導電体３３との接触不良を生じることがなくなる。
【００４７】
尚、上述の図４の引込分岐端子箱３０の構成においても、図２で示されるスプリングを用いた構成を採用してもよい。また、図２の構成において、弾性部材としてスプリング２０を用いた例を示したが、ゴム材等の弾性部材を用いてもよい。
また、上述の構成においては、電線と接続する端子部の端子ねじの緩みを防止するために利用した場合を示したが、図１に示す端子ボックス６を取り付けるための取り付けねじ３や、試験用端子ねじ９等のねじ部材の緩みを防止するために同様の構成を採用してもよい。
【図面の簡単な説明】
【００４８】
【図１】図１（ａ）は、電力量計の下部に設けられる端子ボックスとその付近を示す正面図であり、図１（ｂ）は、端子ボックスに取り付けられる端子カバーを示す背面図であり、図１（ｃ）は、端子カバーに取り付けられるねじ部材緩み防止装置を示す側面図である。
【図２】図２は、本発明に係るねじ部材緩み防止装置を電力量計に適用した場合の側断面図であり、（ａ）はねじ部材緩み防止装置を取り付ける前の状態を示す断面図であり、（ｂ）はねじ部材緩み防止装置を取り付けた後の状態を示す断面図である。
【図３】図３は、本発明に係る他のねじ部材緩み防止装置を電力量計に適用した場合の側断面図であり、（ａ）はねじ部材緩み防止装置を取り付ける前の状態を示す断面図であり、（ｂ）はねじ部材緩み防止装置を取り付けた後の状態を示す断面図である。
【図４】図４（ａ）は、引込分岐端子箱の正面図、図４（ｂ）は、引込分岐端子箱の箱体を示す正面図、図４（ｃ）は、本発明に係るねじ部材緩み防止装置を引込分岐端子箱に適用した場合の取付前の状態を示す側断面図である。
【図５】図５は、従来の電力量計を示す図であり、図５（ａ）はその全体を示す斜視図であり、図５（ｂ）は端子ボックスの正面の一部を示す拡大図であり、図５（ｃ）は端子ボックスの側面を示す一部切り欠きの拡大図である。
【図６】図６は、従来の引込分岐端子箱を示す図であり、図６（ａ）は箱体に端子カバーが取り付けられている状態を示す正面図であり、図６（ｂ）は端子カバーを外した箱体を示す正面図であり、図６（ｃ）は箱体と端子カバーとを離した状態を示す側面図である。
【符号の説明】
【００４９】
５  端子部
１２，３４，３５  端子ねじ
１２ａ，３４ａ，３５ａ  頭部
１３，３７，３８  マイナス溝
１５  ねじ部材緩み防止装置
１６，３２  端子カバー
１８  軟質絶縁部材
２０  スプリング
２２，４１  補助カバー
２３，４２  突条
２４，４３  硬質絶縁部材
２５，４４  軟質絶縁部材
【図１】
2010135176.tif 000003
【図２】
2010135176.tif 000004
【図３】
2010135176.tif 000005
【図４】
2010135176.tif 000006
【図５】
2010135176.tif 000007
【図６】
2010135176.tif 000008